(57)【特許請求の範囲】
【請求項１】
略Ｊ字状の本体と、この本体の下部に斜め下方を向いて突設された爪と、上記本体を靴に固定する固定部材とからなる滑落防止足具。
【請求項２】
上記爪は複数本突設され、上記本体に対してボルトとナット等により一体的に着脱自在に固定されている請求項１記載の滑落防止足具。
【請求項３】
上記爪は上記靴の内側側面の下方に位置し、上記爪の先端部は上記靴の底面よりもわずかに上方に位置する請求項１または２記載の滑落防止足具。
【請求項４】
上記靴の外側側面に位置する上記本体先端部には、上記爪と同様に下方に突設された補助爪が設けられている請求項３記載の滑落防止足具。
【発明の詳細な説明】
【０００１】
【発明の属する技術分野】
この発明は、長靴等に着脱自在に取り付けられる爪部を備えた滑落防止足具に関する。
【０００２】
【従来の技術】
従来、作業用滑落防止足具としては、例えば作業靴底にスパイク等の滑り止めを装着したものや、実願平５−４３６７号公報に開示されているように、下方向に向かって複数のスパイク突出した着脱自在の滑り止め具があった。
【０００３】
【発明が解決しようとする課題】
上記従来の技術の場合、例えば草刈り作業では法面に対して横向きで草刈り機を操作して移動することになるため、谷足に大半の荷重をかけており、谷足側で上体を支えるため、谷足の下肢は山側の法面に傾き作業靴や滑り止め金具の底面に固着されたスパイクでは、スパイクの食い込みが弱く保持力が小さいものであった。
【０００４】
即ち、図６（ａ），（ｂ）に示すように、作業靴１０の底の裏面に設けられたスパイク１２は、作業靴底面と直角方向に突設されているため、作業法面１４に対するスパイク１２の食い込み角度が浅くなり、スパイク１２で作業法面１４をつかむことが不確実となる。従って、より確実に作業法面１４を保持するするためには、足首を谷側に屈曲させ、作業靴１０の底面を作業法面１４と平行になるようにして、不自然な体勢にする必要がある。
【０００５】
さらに、作業中や横移動の際、谷足の足底部は法面１４に順応しようとするため、足首が谷側へ屈曲し、足首関節や膝関節に過重な負担をかけているため、疲労を早めるだけでなく、足首関節や膝関節の損傷に至る恐れもある。また、図６（ｂ）に示すように、体勢を崩したときはスパイク１２は法面１４に食いつかず、体勢の立て直しがしにくく、一旦滑るとほとんどスパイク１２の効果は期待できないという問題がある。
【０００６】
また、スパイク１２が靴底の下にあるため、道路やコンクリート等の固い平地の移動には、バランスを崩したりして歩行がしにくく、上記公報のように着脱式の場合もその都度金具を脱着しなくてはならないなどの不便があった。
【０００７】
この発明は、上記従来の技術の問題点に鑑みてなされたもので、作業者が長時間、安全に斜面での作業を続けることができる滑落防止足具を提供することを目的とする。
【０００８】
【課題を解決するための手段】
この発明は、金属等で形成され剛性の高い略Ｊ字状の本体と、この本体の下部側面部に設けられて、その本体側面部から斜め方向に下方を向いて突設された金属製等の爪と、上記本体を靴に固定する固定部材とからなる滑落防止足具である。上記爪は複数本突設され、上記本体に対してボルトとナット等により一体的に着脱自在に固定されている。上記爪は、上記靴の内側側面の下方に位置している。上記爪の先端部は、上記靴の底面よりもわずかに上方に位置するものである。また、上記靴の外側側面に位置する上記本体先端部には、上記爪と同様に下方に突設された補助爪が設けられている。
【０００９】
【発明の実施の形態】
以下、この発明の実施の形態について、図面に基づいて説明する。図１〜図５は、この発明の一実施形態の滑落防止足具を示す。図１に示すように、この実施形態の滑落防止足具は法面作業用のもので、Ｊ字状の本体２０、靴への固定部材である２本のバンド４０，４５、および爪部材５０から構成される。本体２０は、金属などで形成されほとんど弾性を有しない堅固な構造である。本体２０の垂直部分である支柱部２２は、下部が作業靴１０の形状に対応してわずかに外方に膨出した円弧形状を有し、支柱部２２の下端部から水平方向に延長されて靴底当接部２４が形成され、靴底当接部２４の先端部分が支柱部に対して平行にわずかに上方に折れて支柱先端部２６を形成している。さらに、支柱部２２の靴底当接部２４は、作業靴１０の土踏まず部分の幅に対応して、これより狭い幅に形成されている。
【００１０】
支柱部２２の上部の作業靴１０の外側には、固定部材であるバンド４０を通すバンド挿通孔２８が形成されている。また、支柱部２２下部中央位置には、透孔２９が形成され、この透孔２９に作業靴１０側から外へボルト３０が挿嵌され、支柱部２２の裏面にボルト３０の頭部が溶着されている。
【００１１】
支柱先端部２６の端部には、その幅方向に可動リング取付孔３２が設けられ、この可動リング取付孔３２に可動リング３４が取り付けられている。さらに、可動リング取付孔３２の下部の支柱先端部２６の中央位置には、爪先端方向が作業靴１０の外側下部方向に適宜な角度で突出した、補助爪３６が固着されている。
【００１２】
爪部材５０はその中央部に断面コ字形の爪固定部５２が一体に設けられ、この爪固定部５２のコ字形の溝５６は、支柱部２２の幅とほぼ等しい幅に形成され、中央位置にはボルト孔５４が形成されている。そして、爪部材５２は、ボルト３０および支柱部２２に嵌合し、ナット５７をボルト３０に螺合して支柱部２２に強固に固定される。
【００１３】
爪部材５０の溝５６と反対側の下部位置には、先端方向が作業靴１０内側側面の外方下部方向に向かって適宜の角度で突出した３本の爪５８が固着されている。爪５８は、所定間隔で互いに平行に突設されている。爪５８及び補助爪３６の先端部は、作業靴１０の底面よりもわずかに上方に位置する。
【００１４】
また、バンド４０は、支柱部２２上部のバンド用孔２８に挿通され、バンド締め金具４２で作業靴１０を締め付け可能に設けられている。また、支柱部２２の下方のバンド４５は、可動リング３４に挿通され、作業靴１０を挟んで支柱部２２外側にバンド４５を巻いて、バンド締め金具４７で作業靴１０を締め付け可能に形成されている。
【００１５】
この実施形態の滑落防止足具は、図３に示すように、本体２０および爪部材５０が左右対称形状であり、左右両足のどちらでも装着できる。この滑落防止足具の装着方法は、図１に示すように、右足の作業靴１０に装着する場合、作業靴１０の土踏まず部分に支柱２０の靴底当接部２４を位置させ、上部のバンド４０とバンド締め金具４２で作業靴１０の下腿部に緊結し、下部のバンド４５とこのバンド締め金具４７で作業靴１０の足首部と支柱部２２を緊結する。
【００１６】
このような状態で、図５（ａ）に示すように、右足を谷側にして、作業法面１４に対して横方向に立つと、荷重方向が下方に向かい爪５８が確実に法面１４に食い込み保持する。また、図５（ｂ）に示すように、谷足が山側へ傾いても、谷足の爪５８は、滑走方向に対して作業法面１４を確実につかんでおり、従来の技術の図６（ｂ）に示すように滑落することがない。
【００１７】
また、爪部材５０の取付位置が、足首の内側側面であり、作業中に足首が谷側に屈曲しにくく、足裏と下腿部が直角に近い体勢を維持することが出来、足の疲労を軽減し、怪我の発生も抑えるものである。さらに、万一滑落した場合も、図５（ｂ）に示すように、爪５８が法面１４に食い込みやすく、滑落を最小限に抑えることができる。また、同一形状で左右対称に形成することができ、同一形状で両足に使用することができ、生産性がよい。さらに、靴のサイズにはある程度自由に装着可能である。
【００１８】
なお、この発明の滑落防止足具は、上記実施形態に限定されず、爪部材５０の形状を変えたものでも良く、ナット５７により爪部材５０の大きさや形状を変えたものに交換することができるようにしても良い。また、足への装着は、作業の谷側となる一方でも良く、両足であればさらによい。
【００１９】
【発明の効果】
この発明の滑落防止足具は、斜面での作業においてもほぼ直立で自然な体勢で安全に作業することができ、斜面に対する爪の食い込みが確実になされ、滑落の危険性を大幅に低減することができる。また、安定に斜面で作業することができることから、足やその他の疲労を軽減させ、作業効率を高め、滑落事故などを防止することができる。さらに、靴の内側側面の下方に爪部材が位置することにより、足首が谷側に屈曲しにくく、より安全性が高い。さらに、爪の先端位置を靴底の面よりも上方に位置させても良く、これにより、平地での歩行も容易であり、着脱の煩雑さを無くし、取り扱いがさらに容易となる。
【図面の簡単な説明】
【図１】この発明の一実施形態の滑落防止足具の斜視図である。
【図２】この発明の一実施形態の滑落防止足具の正面図である。
【図３】この発明の一実施形態の滑落防止足具の側面図である。
【図４】図２のＡ−Ａ線断面図である。
【図５】この発明の一実施形態の滑落防止足具の足の角度による爪の食い込みを示す概略図である。
【図６】従来の滑落防止足具の足の状態による爪の食い込み状態（ａ）と滑落状態（ｂ）を示す概略図である。
【符号の説明】
１０  作業靴
２０  本体
２２  支柱部
２６  支柱先端部
２８  バンド用孔
３０  ボルト
３４  可動リング
３６  補助爪
４０，４５  バンド
５０  爪部材
５２  爪固定部
５７  ナット
５８  爪
【図１】
0003932298.tif 000002
【図２】
0003932298.tif 000003
【図３】
0003932298.tif 000004
【図４】
0003932298.tif 000005
【図５】
0003932298.tif 000006
【図６】
0003932298.tif 000007